【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
上部胴体用衣類であって：
内側の層および外側の層から形成された本体であり、前記本体の下部に延在する少なくとも１つの胴体用バンドを有し、前記内側の層および外側の層は下方の折り目に沿って重畳された、本体と；
前記下方の折り目に近接して、前記内側の層および外側の層の間に配置された弾性バンドと；を備える、
上部胴体用衣類。
【請求項２】
前記弾性バンドは、熱可塑性エラストマーフィルムを含む、
請求項１に記載の上部胴体用衣類。
【請求項３】
前記熱可塑性エラストマーフィルムは、ポリアミドを含む、
請求項２に記載の上部胴体用衣類。
【請求項４】
前記熱可塑性エラストマーフィルムは、スチレンブロックコポリマーを含む、
請求項２または請求項３に記載の上部胴体用衣類。
【請求項５】
前記熱可塑性エラストマーフィルムは、スチレンエチレンブタジエンスチレン（ＳＥＢＳ）ブロックコポリマーを含む、
請求項４に記載の上部胴体用衣類。
【請求項６】
前記熱可塑性エラストマーフィルムは、スチレンエチレンプロピレンスチレン（ＳＥＰＳ）ブロックコポリマーを含む、
請求項４に記載の上部胴体用衣類。
【請求項７】
前記熱可塑性エラストマーフィルムは、前記本体のモジュラスより大きいモジュラスを有する、
請求項２〜６のいずれかに記載の上部胴体用衣類。
【請求項８】
前記熱可塑性エラストマーフィルムのモジュラスは、７ｋｇの静荷重で６０％の伸張が計測された場合、約１．０ｋｇ〜４．０ｋｇである、
請求項２〜７のいずれかに記載の上部胴体用衣類。
【請求項９】
前記熱可塑性エラストマーフィルムの厚さは、約０．１ｍｍ〜０．３ｍｍである、
請求項２〜８のいずれかに記載の上部胴体用衣類。
【請求項１０】
前記熱可塑性エラストマーフィルムの幅は、約０．７５インチ（１９．０５ｍｍ）〜１．２５インチ（３１．７５ｍｍ）である、
請求項２〜９のいずれかに記載の上部胴体用衣類。
【請求項１１】
前記弾性バンドは、前記本体の前記内側の層および外側の層の少なくとも１つの内表面に前記弾性バンドを接着剤で固定するために、少なくとも片面がコーティングされた、
請求項１〜１０のいずれかに記載の上部胴体用衣類。
【請求項１２】
前記弾性バンドは、３００°Ｆ（１４８．９℃）〜３６０°Ｆ（１８２．２℃）の加熱で、前記本体の前記内側の層および外側の層の少なくとも１つに融合するように構成された、
請求項１〜１１のいずれかに記載の上部胴体用衣類。
【請求項１３】
前記弾性バンドは、紫外線劣化または亜酸化窒素ガス分解の少なくとも１つに対して耐性がある、
請求項１〜１２のいずれかに記載の上部胴体用衣類。
【請求項１４】
前記弾性バンドのストレッチバックインジケーター（指数）は、ストレッチバックインジケーター試験を用いた後、９８％より大きい、
請求項１〜１３のいずれかに記載の上部胴体用衣類。
【請求項１５】
前記本体は、前側胸部被覆部を有する環状のニット本体を備え、
前記衣類は、ブラジャー、スポーツブラまたはキャミソールである、
請求項１〜１４のいずれかに記載の上部胴体用衣類。
【請求項１６】
下部胴体用衣類であって：
一対の脚の開口部と、前記脚の開口部の間の股部と、ウエスト開口部とを有する本体と；
前記ウエスト開口部に形成されたウエストバンドであって、編み生地の重畳層の間に固定された弾性バンドを有する、前記ウエストバンドと；
熱可塑性エラストマーフィルムを含み、上方の折り目に近接して、前記内側の層および外側の層の間に配置された前記弾性バンドであって、前記熱可塑性エラストマーフィルムはスチレンブロックコポリマーを含む、前記弾性バンドと；を備える、
下部胴体用衣類。
【請求項１７】
前記熱可塑性エラストマーフィルムは、ポリアミドを含む、
請求項１６に記載の下部胴体用衣類。
【請求項１８】
前記熱可塑性エラストマーフィルムは、スチレンエチレンブタジエンスチレン（ＳＥＢＳ）ブロックコポリマーを含む、
請求項１６に記載の下部胴体用衣類。
【請求項１９】
前記熱可塑性エラストマーフィルムは、スチレンエチレンプロピレンスチレン（ＳＥＰＳ）ブロックコポリマーを含む、
請求項１６に記載の下部胴体用衣類。
【請求項２０】
前記熱可塑性エラストマーフィルムは、前記本体のモジュラスより大きいモジュラスを有する、
請求項１６〜１９のいずれかに記載の下部胴体用衣類。
【請求項２１】
前記弾性バンドのストレッチバックインジケーター（指数）は、ストレッチバックインジケーター試験を用いた後、９８％より大きい、
請求項１６〜２０のいずれかに記載の下部胴体用衣類。
【請求項２２】
前記弾性バンドは、前記本体の前記内側の層および外側の層の少なくとも１つの内表面に前記弾性バンドを接着剤で固定するために、少なくとも一方の面がコーティングされた、
請求項１６〜２１のいずれかに記載の下部胴体用衣類。
【請求項２３】
前記衣類は、ボクサー、ブリーフ、ボクサーブリーフ、パンティ、パンティストッキング、または矯正下着である、
請求項１６〜２２のいずれかに記載の下部胴体用衣類。
【手続補正２】
【補正対象書類名】明細書
【補正対象項目名】００７１
【補正方法】変更
【補正の内容】
【００７１】
前述の記載および例は、本開示を説明するためのものであると理解されるべきである。当業者は、本開示の精神と範囲から逸脱することなく、種々の代替および改変例を考案することが可能である。従って、本開示は、そのような全ての代替、改変、変更を包含することを意図する。
［第１の局面］
上部胴体用衣類であって：
内側の層および外側の層から形成された本体であり、前記本体の下部に延在する少なくとも１つの胴体用バンドを有し、前記内側の層および外側の層は下方の折り目に沿って重畳された、本体と；
前記下方の折り目に近接して、前記内側の層および外側の層の間に配置された弾性バンドと；を備える、
上部胴体用衣類。
［第２の局面］
前記弾性バンドは、熱可塑性エラストマーフィルムを含む、
第１の局面に記載の上部胴体用衣類。
［第３の局面］
前記熱可塑性エラストマーフィルムは、ポリアミドを含む、
第２の局面に記載の上部胴体用衣類。
［第４の局面］
前記熱可塑性エラストマーフィルムは、スチレンブロックコポリマーを含む、
第２の局面または第３の局面に記載の上部胴体用衣類。
［第５の局面］
前記熱可塑性エラストマーフィルムは、スチレンエチレンブタジエンスチレン（ＳＥＢＳ）ブロックコポリマーを含む、
第４の局面に記載の上部胴体用衣類。
［第６の局面］
前記熱可塑性エラストマーフィルムは、スチレンエチレンプロピレンスチレン（ＳＥＰＳ）ブロックコポリマーを含む、
第４の局面に記載の上部胴体用衣類。
［第７の局面］
前記熱可塑性エラストマーフィルムは、前記本体のモジュラスより大きいモジュラスを有する、
第２の局面〜第６の局面のいずれかに記載の上部胴体用衣類。
［第８の局面］
前記熱可塑性エラストマーフィルムのモジュラスは、７ｋｇの静荷重で６０％の伸張が計測された場合、約１．０ｋｇ〜４．０ｋｇである、
第２の局面〜第７の局面のいずれかに記載の上部胴体用衣類。
［第９の局面］
前記熱可塑性エラストマーフィルムの厚さは、約０．１ｍｍ〜０．３ｍｍである、
第２の局面〜第８の局面のいずれかに記載の上部胴体用衣類。
［第１０の局面］
前記熱可塑性エラストマーフィルムの幅は、約０．７５インチ（１９．０５ｍｍ）〜１．２５インチ（３１．７５ｍｍ）である、
第２の局面〜第９の局面のいずれかに記載の上部胴体用衣類。
［第１１の局面］
前記弾性バンドは、前記本体の前記内側の層および外側の層の少なくとも１つの内表面に前記弾性バンドを接着剤で固定するために、少なくとも片面がコーティングされた、
第１の局面〜第１０の局面のいずれかに記載の上部胴体用衣類。
［第１２の局面］
前記弾性バンドは、３００°Ｆ（１４８．９℃）〜３６０°Ｆ（１８２．２℃）の加熱で、前記本体の前記内側の層および外側の層の少なくとも１つに融合するように構成された、
第１の局面〜第１１の局面のいずれかに記載の上部胴体用衣類。
［第１３の局面］
前記弾性バンドは、紫外線劣化または亜酸化窒素ガス分解の少なくとも１つに対して耐性がある、
第１の局面〜第１２の局面のいずれかに記載の上部胴体用衣類。
［第１４の局面］
前記弾性バンドのストレッチバックインジケーター（指数）は、ストレッチバックインジケーター試験を用いた後、９８％より大きい、
第１の局面〜第１３の局面のいずれかに記載の上部胴体用衣類。
［第１５の局面］
前記本体は、前側胸部被覆部を有する環状のニット本体を備え、
前記衣類は、ブラジャー、スポーツブラまたはキャミソールである、
第１の局面〜第１４の局面のいずれかに記載の上部胴体用衣類。
［第１６の局面］
衣類の形成方法であって：
衣類を形成するために寸法決めされた本体を編むステップであって、前記衣類は中央の折り目付近で折った際に内側の層および外側の層を有する、編むステップと；
弾性バンドを前記折り目に近接して配置するステップと；
前記折り目で前記本体の前記内側の層および外側の層を重畳し、前記弾性バンドを内包し、前記本体の胴体用バンドを形成するステップと；を備える、
衣類の形成方法。
［第１７の局面］
前記弾性バンドは、熱可塑性エラストマーフィルムを含む、
第１６の局面に記載の方法。
［第１８の局面］
前記熱可塑性エラストマーフィルムは、ポリアミドフィルムを含む、
第１７の局面に記載の方法。
［第１９の局面］
前記熱可塑性エラストマーフィルムは、スチレンブロックコポリマーを含む、
第１７の局面または第１８の局面に記載の方法。
［第２０の局面］
前記熱可塑性エラストマーフィルムは、スチレンエチレンブタジエンスチレン（ＳＥＢＳ）ブロックコポリマーを含む、
第１９の局面に記載の方法。
［第２１の局面］
前記熱可塑性エラストマーフィルムは、スチレンエチレンプロピレンスチレン（ＳＥＰＳ）ブロックコポリマーを含む、
第１９の局面に記載の方法。
［第２２の局面］
前記弾性バンドの少なくとも１つの側面に、前記弾性バンドを前記本体の前記内側の層および外側の層の少なくとも１つの内表面に固定するための接着剤をコーティングするステップを備える、
第１６の局面〜第２１の局面のいずれかに記載の方法。
［第２３の局面］
特定の時間の間、温度および圧力を適用することによって前記弾性バンドを前記内側の層および外側の層の一方に固定するステップをさらに備える、
第１６の局面〜第２２の局面のいずれかに記載の方法。
［第２４の局面］
適用する前記温度は、約１５０°Ｆ（６５．６℃）〜３８０°Ｆ（１９３℃）であり、
適用する前記圧力は、約１０ポンド／平方インチ（６８．９５ｋＰａ）〜１２０ポンド／平方インチ（８２７．４ｋＰａ）であり、
前記時間は、約５秒〜９０秒である、
第２３の局面に記載の方法。
［第２５の局面］
前記弾性バンドを前記内側の層および外側の層の一方に固定するステップは、前記弾性バンドを、前記内側の層および外側の層の少なくとも１つに、３００°Ｆ（１４８．９℃）〜３６０°Ｆ（１８２．２℃）の熱を適用して融合するステップを備える、
第２３の局面または第２４の局面に記載の方法。
［第２６の局面］
適応する前記温度は、約３２０°Ｆ（１６０℃）であり、
適応する前記圧力は、約３０ポンド／平方インチ（２０６．８ｋＰａ）〜６０ポンド／平方インチ（４１３．７ｋＰａ）であり、
前記時間は、約２０秒〜３０秒である、
第２３の局面〜第２５の局面のいずれかに記載の方法。
［第２７の局面］
前記弾性バンドのストレッチバックインジケーター（指数）は、ストレッチバックインジケーター試験を用いた後、９８％より大きい、
第１６の局面〜第２６の局面のいずれかに記載の方法。
［第２８の局面］
前記衣類は、上部胴体用衣類である、
第１６の局面〜第２７の局面のいずれかに記載の方法。
［第２９の局面］
下部胴体用衣類であって：
一対の脚の開口部と、前記脚の開口部の間の股部と、ウエスト開口部とを有する本体と；
上方の折り目に沿って重畳する内側の層および外側の層を提供するために、前記本体の一部を折ることによって、前記ウエスト開口部に形成されたウエストバンドと；
前記上方の折り目に近接して、前記内側の層および外側の層の間に配置された弾性バンドと；を備える、
下部胴体用衣類。
［第３０の局面］
前記弾性バンドは、熱可塑性エラストマーフィルムを含む、
第２９の局面に記載の下部胴体用衣類。
［第３１の局面］
前記熱可塑性エラストマーフィルムは、ポリアミドを含む、
第３０の局面に記載の下部胴体用衣類。
［第３２の局面］
前記熱可塑性エラストマーフィルムは、スチレンブロックコポリマーを含む、
第３０の局面または第３１の局面に記載の下部胴体用衣類。
［第３３の局面］
前記熱可塑性エラストマーフィルムは、スチレンエチレンブタジエンスチレン（ＳＥＢＳ）ブロックコポリマーを含む、
第３２の局面に記載の下部胴体用衣類。
［第３４の局面］
前記熱可塑性エラストマーフィルムは、スチレンエチレンプロピレンスチレン（ＳＥＰＳ）ブロックコポリマーを含む、
第３２の局面に記載の下部胴体用衣類。
［第３５の局面］
前記熱可塑性エラストマーフィルムは、前記本体のモジュラスより大きいモジュラスを有する、
第３０の局面〜第３４の局面のいずれかに記載の下部胴体用衣類。
［第３６の局面］
前記弾性バンドのストレッチバックインジケーター（指数）は、ストレッチバックインジケーター試験を用いた後、９８％より大きい、
第２９の局面〜第３５の局面のいずれかに記載の下部胴体用衣類。
［第３７の局面］
前記弾性バンドは、前記本体の前記内側の層および外側の層の少なくとも１つの内表面に前記弾性バンドを接着剤で固定するために、少なくとも一方の面がコーティングされた、
第２９の局面〜第３６の局面のいずれかに記載の下部胴体用衣類。
［第３８の局面］
前記衣類は、ボクサー、ブリーフ、ボクサーブリーフ、パンティ、パンティストッキング、または矯正下着である、
第２９の局面〜第３７の局面のいずれかに記載の下部胴体用衣類。